(57)【要約】【課題】消波ブロックや根固ブロックを主体とする各種の構造物を海底等の水中に設置して、海藻類の育成を効果的に促すことのできる海藻類育成構造体を提供する。【解決手段】海底等の水中に載置される消波ブロックや根固ブロック等のコンクリート製の水中ブロック１に、自然石Ｓを収納する空洞部３と、当該空洞部３と外部を連通する、前記自然石Ｓより小さい幅のスリット部４とからなる収納構造部２を形成し、前記空洞部３に自然石Ｓを収納する。【選択図】      図１
2004324281.tif 000002
【特許請求の範囲】
【請求項１】
海底等の水中に載置される消波ブロックや根固ブロック等のコンクリート製の水中ブロック（１）に，自然石（Ｓ）を収納する空洞部（３）と，該空洞部と外部を連通する，前記自然石より小さい幅のスリット部（４）とからなる収納構造部（２）を形成し、
前記空洞部に自然石を収納してなる海藻類育成構造体。
【請求項２】
海底等の水中に載置される消波ブロックや根固ブロック等のコンクリート製の水中ブロック（１）表層部の一方端から他方端にわたって，自然石（Ｓ）を収納する長尺状の空洞部（３）と，該空洞部と外部を連通する，前記自然石より小さい幅で長尺状のスリット部（４）とからなる収納構造部２を形成し、
前記収納構造部の一部に，前記自然石を前記空洞部に挿入するための挿入解放部（５）を形成し、
前記空洞部に複数の自然石を収納してなる海藻類育成構造体。
【請求項３】
海底等の水中に載置される消波ブロックや根固ブロック等のコンクリート製の水中ブロック（１）の表面に、自然石（Ｓ）を収納した網状の収納ネット（８）を固定してなる海草類育成構造体。
【請求項４】
長手方向に切れ目部（１１）を形成したパイプ材（１０）の内部に、自然石（Ｓ）を収納し、海底等の水中に載置してなる海草類育成構造体。
【請求項５】
上面が所定の海藻類の繁茂に適した水深に位置するように金属製の枠体（２０）を形成し、前記上面に自然石（Ｓ）を上載し、海底等の水中に固定してなる海草類育成構造体。
【発明の詳細な説明】
【０００１】
【発明の属する技術分野】本発明は、海底等の水中に載置され、海藻類の育成を促すはたらきを有するコンクリート製や金属製等の構造体に関するものである。
【０００２】
【従来の技術】近年、コンクリート製の消波ブロックや根固ブロックに、それが持つ防災機能に加え、海中における生態系との共生機能が求められるようになっている。これらのブロックは、それ自体が海藻類（珊瑚を含む）の着生基盤となることから、当該ブロックに生育した海草類が様々な魚介類の隠れ場所や産卵場所になり、自然界を豊かにするからである。
【０００３】
【発明が解決しようとする課題】しかし、実際には、消波ブロックや根固ブロックを構成するコンクリートの表面には凹凸がないため、海藻の胞子が着生し難い。また、着生したとしても、コンクリート特有の磯焼け現象により、数年で枯死してしまう。
【０００４】
本発明はこうした問題に鑑み創案されたもので、消波ブロックや根固ブロックを主体とする各種の構造物を海底等の水中に設置して、海藻類の育成を効果的に促すことのできる海藻類育成構造体を提供することを課題とする。
【０００５】
【課題を解決するための手段】第一の発明に係る海草類育成構造体は、海底等の水中に載置される消波ブロックや根固ブロック等のコンクリート製の水中ブロック１に、自然石Ｓを収納する空洞部３と、当該空洞部３と外部を連通する、前記自然石Ｓより小さい幅のスリット部４とからなる収納構造部２を形成し、前記空洞部３に自然石Ｓを収納してなるものである。
【０００６】
第二の発明に係る海草類育成構造体は、海底等の水中に載置される消波ブロックや根固ブロック等のコンクリート製の水中ブロック１表層部の一方端から他方端にわたって、自然石Ｓを収納する長尺状の空洞部３と、当該空洞部３と外部を連通する、前記自然石Ｓより小さい幅で長尺状のスリット部４とからなる収納構造部２を形成し、前記収納構造部２の一部に、前記自然石Ｓを前記空洞部３に挿入するための挿入解放部５を形成し、前記空洞部３に複数の自然石Ｓを収納してなるものである。
【０００７】
第三の発明に係る海草類育成構造体は、海底等の水中に載置される消波ブロックや根固ブロック等のコンクリート製の水中ブロック１の表面に、自然石Ｓを収納した網状の収納ネット８を固定してなるものである。
【０００８】
第四の発明に係る海草類育成構造体は、長手方向に切れ目部１１を形成したパイプ材１０の内部に、自然石Ｓを収納し、海底等の水中に載置してなるものである。
【０００９】
第五の発明に係る海草類育成構造体は、上面が所定の海藻類の繁茂に適した水深に位置するように金属製の枠体２０を形成し、前記上面に自然石Ｓを上載し、海底等の水中に固定してなるものである。
【００１０】
【発明の実施の形態】本発明に係る海草類育成構造体の第一実施形態を、図１および図２に示す。これは、海底に載置されるコンクリート製の水中ブロック（根固ブロック）１において、その上面表層部の一方端から他方端にわたって、自然石Ｓを収納する長尺状の空洞部３と、その空洞部３と外部を連通する、自然石Ｓより小さい幅で長尺状のスリット部４とからなる収納構造部２を形成したものである。
【００１１】
また、収納構造部２の一部に、自然石Ｓを空洞部３に挿入するための挿入解放部５を形成している。そして、空洞部３に多数の自然石Ｓを収納している。
【００１２】
この構造体において、自然石Ｓは、空洞部３の一方端と他方端に形成される開口６、または収納構造部２の一部に形成した収納解放部５から空洞部３に挿入する。空洞部３に挿入された自然石Ｓは、その自重によって空洞部３に不動に位置する。スリット部４は自然石Ｓより小さい幅に設定しているので、このスリット部４から自然石Ｓが離脱することはない。なお、潮流によって自然石Ｓが空洞部３から離脱するのを防止するために、開口６および収納解放部５をピン７やコンクリートで塞ぐと良い。
【００１３】
本実施形態の構造体において、空洞部３に収納された自然石Ｓは、コンクリートと異なり海藻Ｗの胞子が着生し易い。従って、多量の胞子が自然石Ｓに着生し、生育し、生育した海藻Ｗはスリット部４を通って外部へ伸び、大きく生長することができる。これにより、海藻Ｗの育成を効果的に促すことができる。
【００１４】
なお、本実施形態では、根固ブロックを対象としているが、本発明はこれに限定されるものではなく、消波ブロックにも同様の構造を持たせることができる（図３参照）。
【００１５】
本発明に係る海藻類育成構造体の第二実施形態を、図４に示す。これは、海底に載置されるコンクリート製の水中ブロック（消波ブロック）１の表面に、自然石Ｓを収納した網状の収納ネット８を固定したものである。この収納ネット８は、鉄筋やワイヤー等の金属製で、袋状に形成している。また、収納ネット８の固定は、水中ブロック１の表面に設けたアンカー鉄筋９に係止することによって行っている。
【００１６】
この構造体においても、収納ネット８に収納した自然石Ｓに海藻Ｗの胞子が着生し、収納ネット８の網目を通って自由に伸びることができる。従って、海藻Ｗの育成を効果的に促すことができる。
【００１７】
なお、当該構造体は、消波ブロックのみでなく、根固ブロックも対象とすることができる（図５参照）。
【００１８】
本発明に係る海草類育成構造体の第三実施形態を、図６および図７に示す。これは、長手方向に切れ目部１１を形成すると共に複数の窓孔１２した金属製のパイプ材１０の内部に、複数の自然石Ｓを収納し、海底に載置したものである。パイプ材１０の両端開口部には、自然石Ｓの離脱を防止するために止め部材１３を設けることができる。なお、当該パイプ材１０は金属製に限定されるものではなく、コンクリート製、樹脂製あるいは陶磁器製とすることができる。
【００１９】
この構造体においては、自然石Ｓに着生した海藻Ｗが切れ目部１１を通って自由に伸びることができるので、当該海藻Ｗの育成を促すことができる。
【００２０】
本発明に係る海草類育成構造体の第四実施形態を、図８に示す。これは、上面がガラモの繁茂に適した水深５ｍ〜６ｍに位置するように枠体２０を形成し、その上面に自然石Ｓを上載した状態で、海底に固定したものである。なお、枠体２０が潮流等によって移動するのを防止するために、当該枠体２０の下端部に重し２１を載せている。
【００２１】
この構造体においても、自然石Ｓに着生した海藻Ｗが自由に伸びるので、海藻Ｗの育成を効果的に育成することができる。
【００２２】
なお、本発明に係る海草類育成構造体は、海底への設置に限定されるものではなく、河川や湖に設置して、水草の育成に使用することもできる。
【００２３】
【発明の効果】
請求項１に記載の海草類育成構造体は、コンクリート製の水中ブロック１に、空洞部３とスリット部４とからなる収納構造部２を形成し、その空洞部３に自然石Ｓを収納しているので、この自然石Ｓに海藻Ｗを着生させてスリット部４を通して大きく生長させることができる。従って、海藻Ｗの育成を効果的に促すことができる。なお、スリット部４は自然石Ｓより小さい幅に設定しているので、このスリット部４から自然石Ｓが離脱するのを未然に防止することができる。
【００２４】
請求項２に記載の発明に係る海藻類育成構造体は、収納構造部２の一部に、自然石Ｓを空洞部３に挿入するための挿入解放部５を形成し、その空洞部３に複数の自然石Ｓを収納しているので、請求項１に記載の発明と同様に、海藻Ｗの育成を効果的に促すことができると共に、挿入解放部５から自然石Ｓを空洞部３に挿入することができる。従って、自然石Ｓの挿入作業を容易なものとすることができる。
【００２５】
請求項３に記載の発明に係る海草類育成構造体は、コンクリート製の水中ブロック１の表面に、自然石Ｓを収納した網状の収納ネット８を固定しているので、収納ネット８に収納した自然石Ｓに海藻Ｗの胞子が着生し、収納ネット８の網目を通って自由に伸びることができる。従って、海藻Ｗの育成を効果的に促すことができる。
【００２６】
請求項４に記載の発明に係る海草類育成構造体は、長手方向に切れ目部１１を形成したパイプ材１０の内部に、自然石Ｓを収納し、それを海底等の水中に載置しているので、自然石Ｓに着生した海藻Ｗが切れ目部１１を通って自由に伸びることができる。従って、海藻Ｗの育成を促すことができる。
【００２７】
請求項５に記載の発明に係る海草類育成構造体は、上面が所定の海藻類の繁茂に適した水深に位置するように金属製の枠体２０を形成し、前記上面に自然石Ｓを上載し、海底等の水中に固定しているので、特に、所定の海草類の育成を効果的に促すことができる。
【図面の簡単な説明】
【図１】本発明に係る構造体の第一実施形態を示す斜視図である。
【図２】図１のＸ−Ｘ線断面図である。
【図３】図１に示す第一実施形態の他の態様を示す斜視図である。
【図４】本発明に係る構造体の第二実施形態を示す斜視図である。
【図５】図４に示す第二実施形態の他の態様を示す側面図である。
【図６】本発明に係る構造体の第三実施形態を示す斜視図である。
【図７】図６のＹ−Ｙ線断面図である。
【図８】本発明に係る構造体の第四実施形態を示す側面図である。
【符号の説明】
１      水中ブロック
２      収納構造部
３      空洞部
４      スリット部
５      挿入解放部
６      開口
７      ピン
８      収納ネット
９      アンカー鉄筋
１０    パイプ材
１１    切れ目部
１２    窓孔
１３    止め部材
２０    枠体
２１    重し
Ｓ      自然石
Ｗ      海藻
【図１】
2004324281.tif 000003
【図２】
2004324281.tif 000004
【図３】
2004324281.tif 000005
【図４】
2004324281.tif 000006
【図５】
2004324281.tif 000007
【図６】
2004324281.tif 000008
【図７】
2004324281.tif 000009
【図８】
2004324281.tif 000010